(57)【要約】【課題】中間転写体上に残留する残留トナーを十分にクリーニングすることができるとともに、その中間転写体へのブレーキとしての作用が低減されたクリーニング装置を備えた画像形成装置、およびそのクリーニング装置を提供する。【解決手段】画像形成装置を構成するクリーニング装置２０が、中間転写ベルト１１の移動方向上流側から順に、中間転写ベルト１１上の残留トナー１１ａをクリーニングするスクレーパ２１と、中間転写ベルト１１上の残留トナー１１ａを帯電させる帯電手段２２と、中間転写ベルト１１上の残留トナー１１ａをクリーニングする導電性ブラシ２３とを備えた。【選択図】        図２
2005025010.tif 000002
【特許請求の範囲】
【請求項１】
トナー像を形成し該トナー像を最終的に記録媒体上に転写および定着することにより該記録媒体上に定着トナー像からなる画像を形成する画像形成装置において、
所定方向に移動しながらトナー像の転写を受け転写されたトナー像を記録媒体に転写する中間転写体と、
前記中間転写体上に残留する残留トナーをクリーニングするクリーニング装置とを備え、
前記クリーニング装置が、前記中間転写体の移動方向上流側から順に、
前記中間転写体上の残留トナーをクリーニングする第１のクリーニング手段と、
前記中間転写体上の残留トナーを帯電させる帯電手段と、
前記中間転写体上の残留トナーをクリーニングする第２のクリーニング手段とを備えたものであることを特徴とする画像形成装置。
【請求項２】
前記第１のクリーニング手段が、前記中間転写体に当接して該中間転写体上の残留トナーを削り落とすスクレーパであることを特徴とする請求項１記載の画像形成装置。
【請求項３】
前記第２のクリーニング手段が、前記帯電手段により帯電した残留トナーを引き寄せる極性の電圧が印加されたブラシであることを特徴とする請求項１記載の画像形成装置。
【請求項４】
前記第２のクリーニング手段が、前記帯電手段により帯電した残留トナーを引き寄せる極性の電圧が印加されたロールであることを特徴とする請求項１記載の画像形成装置。
【請求項５】
トナー像を形成し該トナー像を、一旦、所定方向に移動する中間転写体に転写した後該中間転写体から記録媒体に転写して定着することにより該記録媒体上に定着トナー像からなる画像を形成する画像形成装置における前記中間転写体上に残留する残留トナーをクリーニングするクリーニング装置において、
前記中間転写体の移動方向上流側から順に、
前記中間転写体上の残留トナーをクリーニングする第１のクリーニング手段と、
前記中間転写体上の残留トナーを帯電させる帯電手段と、
前記中間転写体上の残留トナーをクリーニングする第２のクリーニング手段とを備えたことを特徴とするクリーニング装置。
【発明の詳細な説明】
【０００１】
【発明の属する技術分野】
本発明は、トナー像を形成しそのトナー像を最終的に記録媒体上に転写および定着することによりその記録媒体上に定着トナー像からなる画像を形成する画像形成装置、およびその画像形成装置におけるクリーニング装置に関する。
【０００２】
【従来の技術】
電子写真方式の複写機やプリンタあるいはファクシミリなどに用いられる画像形成装置において、感光体上に形成されたトナー像を一旦中間転写ベルト等の中間転写体上に転写し、その中間転写体上に転写されたトナー像を記録媒体に転写および定着して、その記録媒体上に定着トナー像からなる画像を形成する画像形成装置が知られている。このような画像形成装置には、例えば、中間転写体上に残留した残留トナーを、その残留トナーに付与された電荷の極性とは逆極性のバイアス電圧が印加された導電性のブラシロールに静電吸着させることによりクリーニングするクリーニング装置が備えられている。
【０００３】
一般に、残留トナーは、転写残の電荷が少ないトナーや無帯電状態のトナー、あるいは逆極性の帯電状態のトナー等があり、従って上述のように静電吸着させてクリーニングする場合、残留トナーのうちクリーニング対象とする帯電状態にあるトナーは確実に除去されるものの、その他の帯電状態トナーに対しては十分なクリーニング効果が得られない場合がある。
【０００４】
そこで、先ず中間転写体上に残留している残留トナーを帯電手段で一定に帯電させておき、次いで帯電された残留トナーを導電性のブラシロールでクリーニングする技術が提案されている。（特許文献１参照）。
【０００５】
また、中間転写体に当接されたシート状の導電性部材に所定のバイアス電圧を印加して、その導電性部材で機械的なクリーニングを行なうとともに中間転写体上に残留している残留トナーを帯電させておき、次いで導電性のブラシロールでクリーニングする技術も提案されている。（特許文献２参照）。
【０００６】
【特許文献１】
特開平４−８１７８５号公報
【特許文献２】
特開２００１−１０９３５１号公報
【０００７】
【発明が解決しようとする課題】
例えば、フルカラー用の画像形成装置において、中間転写体上にイエロー（Ｙ），マゼンタ（Ｍ）、シアン（Ｃ）、ブラック（Ｋ）の４色のトナー像を重ねて転写し、最終的に記録媒体にフルカラーの画像を形成する場合、その中間転写体上に残留する残留トナーの層は比較的厚く、上記特許文献１に提案された技術を採用して中間転写体上の残留トナーをクリーニングしようとしても、残留トナーの下層にまで十分に帯電処理を施すことは困難である。従って、中間転写体上に残留する残留トナーを十分にクリーニングすることは困難である。
【０００８】
また、上記特許文献２に提案された技術を採用してクリーニングする場合、中間転写体への導電部材の当接およびこの導電性部材への印加電圧による静電吸着力が、その中間転写体へのブレーキとして働く恐れがある。
【０００９】
本発明は、上記事情に鑑み、中間転写体上に残留する残留トナーを十分にクリーニングすることができるとともに、その中間転写体へのブレーキとしての作用が低減されたクリーニング装置を備えた画像形成装置、およびそのクリーニング装置を提供することを目的とする。
【００１０】
【課題を解決するための手段】
上記目的を達成する本発明の画像形成装置は、トナー像を形成しそのトナー像を最終的に記録媒体上に転写および定着することによりその記録媒体上に定着トナー像からなる画像を形成する画像形成装置において、
所定方向に移動しながらトナー像の転写を受け転写されたトナー像を記録媒体に転写する中間転写体と、
上記中間転写体上に残留する残留トナーをクリーニングするクリーニング装置とを備え、
上記クリーニング装置が、上記中間転写体の移動方向上流側から順に、
上記中間転写体上の残留トナーをクリーニングする第１のクリーニング手段と、
上記中間転写体上の残留トナーを帯電させる帯電手段と、
上記中間転写体上の残留トナーをクリーニングする第２のクリーニング手段とを備えたものであることを特徴とする。
【００１１】
本発明の画像形成装置は、中間転写体上に残留する残留トナーを第１のクリーニング手段でクリーニングし、次いでその中間転写体上の残留トナーを帯電手段で帯電させ、さらにその中間転写体上の残留トナーを第２のクリーニング手段でクリーニングするクリーニング装置を備えたものである。このため、先ず、中間転写体上に残留する残留トナーの一部が第１のクリーニング手段でクリーニングされて薄層化される。次いで、薄層化された残留トナーが帯電手段で帯電される。これにより、残留トナーの下層にまで十分に帯電されることとなる。さらに、下層にまで十分に帯電された残留トナーが第２のクリーニング手段でクリーニングされる。従って、例えば中間転写体上に残留するイエロー（Ｙ），マゼンタ（Ｍ）、シアン（Ｃ）、ブラック（Ｋ）の４色のトナー像が重ねて転写された残留トナーをクリーニングする場合であっても、十分にクリーニングすることができる。また、第１のクリーニング手段と帯電手段とが分離した構成であるため、特許文献２に提案された中間転写体にシート状の導電部材を当接させてその導電性部材に電圧を印加する技術と比較し、中間転写体へのブレーキとしての作用が低減される。
【００１２】
ここで、上記第１のクリーニング手段が、上記中間転写体に当接してその中間転写体上の残留トナーを削り落とすスクレーパであることが好ましい。
【００１３】
このようにすると、残留トナーの一部が削り落とされて薄層化され、薄層化された残留トナーと帯電手段との接触する機会が増大するため、幅広い帯電分布を持つ残留トナーであってもその残留トナーへの帯電効果が向上して、クリーニングをより十分に行なうことができる。
【００１４】
また、上記第２のクリーニング手段が、上記帯電手段により帯電した残留トナーを引き寄せる極性の電圧が印加されたブラシであることも好ましい態様である。
【００１５】
このようなブラシを備えると、残留トナーをほぼ完全に静電気吸着してクリーニングすることができる。
【００１６】
さらに、上記第２のクリーニング手段が、上記帯電手段により帯電した残留トナーを引き寄せる極性の電圧が印加されたロールであってもよい。
【００１７】
このようなロールを備えると、中間転写体へのブレーキとしての作用をさらに小さく抑えたまま、残留トナーを静電気吸着してクリーニングすることができる。
【００１８】
また、上記目的を達成する本発明のクリーニング装置は、トナー像を形成しそのトナー像を、一旦、所定方向に移動する中間転写体に転写した後その中間転写体から記録媒体に転写して定着することによりその記録媒体上に定着トナー像からなる画像を形成する画像形成装置における上記中間転写体上に残留する残留トナーをクリーニングするクリーニング装置において、
上記中間転写体の移動方向上流側から順に、
上記中間転写体上の残留トナーをクリーニングする第１のクリーニング手段と、
上記中間転写体上の残留トナーを帯電させる帯電手段と、
上記中間転写体上の残留トナーをクリーニングする第２のクリーニング手段とを備えたことを特徴とする。
【００１９】
本発明のクリーニング装置では、先ず、中間転写体上に残留する残留トナーの一部が第１のクリーニング手段でクリーニングされて薄層化される。次いで、薄層化された残留トナーが帯電手段で帯電される。これにより、残留トナーの下層にまで十分に帯電されることとなる。さらに、下層にまで十分に帯電された残留トナーが第２のクリーニング手段でクリーニングされる。従って、例えば中間転写体上に残留するイエロー（Ｙ），マゼンタ（Ｍ）、シアン（Ｃ）、ブラック（Ｋ）の４色のトナー像が重ねて転写された残留トナーをクリーニングする場合であっても、十分にクリーニングすることができる。また、第１のクリーニング手段と帯電手段とが分離した構成であるため、特許文献２に提案された中間転写体にシート状の導電部材を当接させてその導電性部材に電圧を印加する技術と比較し、中間転写体へのブレーキとしての作用が低減される。
【００２０】
【発明の実施の形態】
以下、本発明の実施形態について説明する。
【００２１】
図１は、本発明の画像形成装置の一実施形態の概略構成図である。
【００２２】
尚、本実施形態の画像形成装置には、本発明のクリーニング装置の第１実施形態も備えられている。
【００２３】
図１に示す画像形成装置１は、中間転写体である中間転写ベルト１１を用いたフルカラーの電子写真複写機である。この画像形成装置１には、この図１の左側から、イエロー（Ｙ），マゼンタ（Ｍ），シアン（Ｃ），黒色（Ｋ）の４色に対応する、矢印Ａ方向に回転する４つの感光体１Ｙ，１Ｍ，１Ｃ，１Ｋが一直線状に並べて配置されており、これら感光体１Ｙ，１Ｍ，１Ｃ，１Ｋの周囲に帯電ロール２Ｙ，２Ｍ，２Ｃ，２Ｋと、露光装置３Ｙ，３Ｍ，３Ｃ，３Ｋと、現像器４Ｙ，４Ｍ，４Ｃ，４Ｋと、一次転写ロール５Ｙ，５Ｍ，５Ｃ，５Ｋと、各一対のアイドルロール６Ｙ；７Ｙ，６Ｍ；７Ｍ，６Ｃ；７Ｃ，６Ｋ；７Ｋとが備えられている。
【００２４】
また、この画像形成装置１には、矢印Ｂ方向に移動しながらトナー像の転写を受け転写されたトナー像を記録媒体Ｐに転写する中間転写ベルト１１と、駆動ロール１２と、張架ロール１３と、バックアップロール１４と、二次転写ロール１５とが備えられている。
【００２５】
さらに、この画像形成装置１には、詳細は後述するが、スクレーパ２１，帯電手段２２，導電性ブラシ２３を有するクリーニング装置２０（本発明にいうクリーニング装置の第１実施形態）が備えられている。帯電手段２２，導電性ブラシ２３の、中間転写ベルト１１を挟んだ対向位置には、対向電極３１，３２が配設されている。
【００２６】
このように構成された画像形成装置１では、矢線Ａ方向への回転に伴い感光体１Ｙ，１Ｍ，１Ｃ，１Ｋの表面に周知の電子写真プロセスによって画情報に応じた静電潜像が形成される。即ち、プリント開始指示が行なわれると、感光体１Ｙ，１Ｍ，１Ｃ，１Ｋは、帯電ロール２Ｙ，２Ｍ，２Ｃ，２Ｋによって所定の暗電位にまで帯電され、さらに、それら感光体１Ｙ，１Ｍ，１Ｃ，１Ｋに、露光装置３Ｙ，３Ｍ，３Ｃ，３Ｋに備えられたレーザビームスキャナから発せられた各色信号に応じたレーザー光が照射されて潜像が形成される。感光体１Ｙ，１Ｍ，１Ｃ，１Ｋに形成された潜像は、現像器４Ｙ，４Ｍ，４Ｃ，４Ｋで現像される。これにより、感光体１Ｙ，１Ｍ，１Ｃ，１Ｋには、各色のトナー像が形成される。
【００２７】
感光体１Ｙ，１Ｍ，１Ｃ，１Ｋに形成されたトナー像は、感光体１Ｙ，１Ｍ，１Ｃ，１Ｋと中間転写ベルト１１とが接する一次転写位置で中間転写ベルト１１の表面に転写される。この一次転写位置において、中間転写体１１の裏面側には、一次転写ロール５Ｙ，５Ｍ，５Ｃ，５Ｋが配設されており、これら一次転写ロール５Ｙ，５Ｍ，５Ｃ，５Ｋにトナーの帯電極性と逆極性の電圧を印加することで、感光体１Ｙ，１Ｍ，１Ｃ，１Ｋ上のトナー像が中間転写ベルト１１上に静電転写される。具体的には、４色のトナー像を重ね合わせたフルカラー画像を形成する場合、感光体１Ｙ，１Ｍ，１Ｃ，１Ｋ上にはイエロー、マゼンタ、シアンおよびブラックのトナー像がそれぞれ形成され、これらトナー像が順次に中間転写ベルト１１に一次転写される。中間転写ベルト１１では、最初に一次転写されたイエローのトナー像を保持したまま順次マゼンタ、シアンおよびブラックのトナー像がイエローのトナー像に重ねて転写される。このようにして中間転写ベルト１１に一次転写されたトナー像は、中間転写ベルト１１の回動に伴って記録媒体Ｐの搬送経路に面した二次転写位置へと搬送される。上記二次転写位置では導電性の二次転写ロール１５が中間転写ベルト１１に接しており、図示しないトレイから矢印Ｃ方向に搬出された記録媒体Ｐは、この二次転写ロール１５と中間転写ベルト１１との間に挟み込まれる。二次転写位置における中間転写ベルト１１の裏面側には上記二次転写ロール１５の対向電極をなすバックアップロール１４が配設されており、二次転写ロール１５とバックアップロール１４間に、トナーを記録媒体Ｐに引き寄せる電圧が印加される。すると、中間転写ベルト１１に担持されて上述したようにして重ね合わされたトナー像は上記二次転写位置において記録媒体Ｐに静電転写される。次いで、この重ね合わされてなるトナー像を保持した記録媒体Ｐは図示しない定着器に送り込まれてトナー像の定着処理がなされる。トナー像の二次転写が終了した中間転写ベルト１１には残留トナーが残留しており、この残留トナーは、クリーニング装置２０によってクリーニングされる。
【００２８】
図２は、図１に示すクリーニング装置の構成を示す図である。
【００２９】
図２に示すクリーニング装置２０は、中間転写ベルト１１上に残留する残留トナー１１ａをクリーニングするクリーニング装置であって、このクリーニング装置２０には、中間転写ベルト１１の移動方向（矢印Ｂで示す方向）上流側から順に、スクレーパ２１，帯電手段２２，導電性ブラシ２３が備えられている。また、帯電手段２２，導電性ブラシ２３の、中間転写ベルト１１を挟んだ対向位置には、対向電極３１，３２が配設されている。さらに、帯電手段２２，導電性ブラシ２３には、電圧印加手段３３，３４からの負極性電圧，正極性電圧が印加される。
【００３０】
スクレーパ２１は、本発明にいう第１のクリーニング手段に相当し、このスクレーパ２１は、中間転写ベルト１１に当接してその中間転写ベルト１１上の残留トナー１１ａを削り落とす部材である。
【００３１】
帯電手段２２は、ワイパー状に配置されたシート状導電性部材であり、この帯電手段２２には、電圧印加手段３３から負極性の電圧が印加される。
【００３２】
導電性ブラシ２３は、本発明にいう第２のクリーニング手段に相当し、この導電性ブラシ２３は、帯電手段２２により帯電した残留トナー１１ａを引き寄せる極性の電圧が印加されたブラシであり、具体的には、この導電性ブラシ２３には、電圧印加手段３４から正極性の電圧が印加される。尚、帯電手段２２，導電性ブラシ２３の、中間転写ベルト１１を挟んだ対向位置に配設された対向電極３１，３２は、共に接地されている。
【００３３】
本実施形態の画像形成装置１において、記録媒体Ｐへの定着トナー像転写後の中間転写ベルト１１上に残留する残留トナー１１ａの帯電分布は幅広く、例えばこの残留トナー１１ａが負極性帯電トナーの場合、正極性寄りにシフトしているトナーも含まれる。画像形成装置１を構成するクリーニング装置２０では、このような帯電分布を持つトナーをスクレーパ２１によって規制し薄層化する。これにより帯電手段２２と、この幅広い帯電分布をもつ残留トナー１１ａとの接触する機会が増大し、帯電手段２２であるワイパー状に配置したシート状導電性部材に負極性の電圧を印加することにより、残留トナー１１ａへの負極性帯電の効果が向上する。この帯電手段２２により負極性寄りに帯電がシフトした残留トナー１１ａは、正極性の電圧が印加された導電性ブラシ２３でほぼ完全に吸着されクリーニングされる。ここで、静電的に吸着できなかった残留トナー１１ａが存在していたとしても、それは正極性寄りの帯電分布であり、導電性ブラシ２３を通過しても本来の負極性トナーとは挙動が異なり、従って感光体へ逆転写すると同時に記録媒体Ｐ上に転写し難いため、画像欠陥として顕在化しないこととなる。
【００３４】
本実施形態では、残留トナー１１ａに対して、帯電手段２２による負極性印加時に電界による静電吸着力が生じる。特許文献２に提案された技術において、スクレーパ２１と帯電手段２２を兼ねた構成であるシート状のブレード構成の場合、中間転写ベルト１１上にシート状のブレード面が静電吸着力により張り付くため、ブレーキがかかるとともに、ブレードの先端が喰い付くために更にブレーキが強められる恐れがあるが、本実施形態では、スクレーパ２１と帯電手段２２が分離されるとともに、帯電手段２２がブレーキになり難いワイパー状に配置されたものであるため、中間転写ベルト１１の駆動抵抗を減らすという効果がある。
また、導電性ブラシ２３の処理する残留トナー１１ａの量は、スクレーパ２１によって減じられており、従って残留トナー１１ａの、導電性ブラシ２３による処理可能な容量が増大する。また、導電性ブラシ２３の回転方向を中間転写ベルト１１の移動方向に合わせることによって、スクレーパ２１によるブレーキを打ち消すことも可能となる。
【００３５】
ここで、帯電手段２２による残留トナー１１ａへの負極性印加は、帯電手段２２と対向電極３１間の電界の方向によって与えられる。本実施形態では、帯電手段２２に負極性の電圧を印加し、対向電極３１を接地する構成で説明したが、これとは逆に、帯電手段２２を接地し対向電極３１に正極性の電圧を印加する構成でもよい。
【００３６】
同様に、導電性ブラシ２３による残留トナー１１ａへの正極性印加は、導電性ブラシ２３と対向電極３２間の電界の方向によって与えられる。本実施形態では、導電性ブラシ２３に正極性の電圧を印加し、対向電極３２を接地する構成で説明したが、これとは逆に、導電性ブラシ２３を接地し対向電極３２に負極性の電圧を印加する構成でもよい。
【００３７】
図３は、本発明のクリーニング装置の第２実施形態の構成を示す図である。
【００３８】
尚、前述した図２に示すクリーニング装置２０の構成要素と同じ構成要素には同一の符号を付して説明する。
【００３９】
図３に示すクリーニング装置４０は、図２に示すクリーニング装置２０と比較し、シート状の導電性部材である帯電手段２２に代えて、導電性のロール部材である帯電手段４２を備えている。この帯電手段４２には、電圧印加手段３３から負極性の電圧が印加される。
【００４０】
このクリーニング装置４０では、前述したクリーニング装置２０と同様にして、中間転写ベルト１１上に残留する残留トナー１１ａをスクレーパ２１によって規制し薄層化し、帯電手段４２である導電性のロール部材に負極性の電圧を印加することにより、帯電手段４２と残留トナー１１ａとの接触する機会を増大させる。このようにして、残留トナー１１ａへの負極性帯電の効果を高める。この帯電手段４２により負極性寄りに帯電がシフトした残留トナー１１ａは、正極性の電圧が印加された導電性ブラシ２３でほぼ完全に吸着されクリーニングされる。
【００４１】
図４は、本発明のクリーニング装置の第３実施形態の構成を示す図である。
【００４２】
図４に示すクリーニング装置５０は、図２に示すクリーニング装置２０を構成する導電性ブラシ２３に代えて、帯電手段２２により帯電した残留トナー１１ａを引き寄せる極性の電圧が印加されるロールである導電性ロール５３を備えている。この導電性ロール５３には、電圧印加手段３４から正極性の電圧が印加される。
【００４３】
このクリーニング装置５０では、中間転写ベルト１１上に残留する残留トナー１１ａをスクレーパ２１によって規制し薄層化し、帯電手段２２により残留トナー１１ａへの負極性帯電の効果を高める。このようにして負極性寄りに帯電がシフトした残留トナー１１ａを、正極性の電圧が印加された導電性ロール５３でほぼ完全に吸着してクリーニングする。
【００４４】
図５は、本発明のクリーニング装置の第４実施形態の構成を示す図である。
【００４５】
図５に示すクリーニング装置６０は、導電性のロール部材である帯電手段４２と、帯電手段４２により帯電した残留トナー１１ａを引き寄せる極性の電圧が印加された導電性ロール５３を備えている。このクリーニング装置６０では、中間転写ベルト１１上に残留する残留トナー１１ａをスクレーパ２１によって規制し薄層化し、帯電手段４２により残留トナー１１ａへの負極性帯電の効果を高め、これにより負極性寄りに帯電がシフトした残留トナー１１ａを、正極性の電圧が印加された導電性ロール５３でほぼ完全に吸着してクリーニングする。
【００４６】
【発明の効果】
以上説明したように、本発明によれば、中間転写体上に残留する残留トナーを十分にクリーニングすることができるとともに、その中間転写体へのブレーキとしての作用が低減されたクリーニング装置を備えた画像形成装置、およびそのクリーニング装置を提供することができる。
【図面の簡単な説明】
【図１】本発明の画像形成装置の一実施形態の概略構成図である。
【図２】図１に示すクリーニング装置の構成を示す図である。
【図３】本発明のクリーニング装置の第２実施形態の構成を示す図である。
【図４】本発明のクリーニング装置の第３実施形態の構成を示す図である。
【図５】本発明のクリーニング装置の第４実施形態の構成を示す図である。
【符号の説明】
１  画像形成装置
１Ｙ，１Ｍ，１Ｃ，１Ｋ  感光体
２Ｙ，２Ｍ，２Ｃ，２Ｋ  帯電ロール
３Ｙ，３Ｍ，３Ｃ，３Ｋ  露光装置
４Ｙ，４Ｍ，４Ｃ，４Ｋ  現像器
５Ｙ，５Ｍ，５Ｃ，５Ｋ  一次転写ロール
６Ｙ，６Ｍ，６Ｃ，６Ｋ，７Ｙ，７Ｍ，７Ｃ，７Ｋ  アイドルロール
１１  中間転写ベルト
１１ａ  残留トナー
１２  駆動ロール
１３  張架ロール
１４  バックアップロール
１５  二次転写ロール
２０，４０，５０，６０  クリーニング装置
２１  スクレーパ
２２，４２  帯電手段
２３  導電性ブラシ
３１，３２  対向電極
３３，３４  電圧印加手段
５３  導電性ロール
【図１】
2005025010.tif 000003
【図２】
2005025010.tif 000004
【図３】
2005025010.tif 000005
【図４】
2005025010.tif 000006
【図５】
2005025010.tif 000007